【手続補正書】
【提出日】平成17年11月14日(2005.11.14)
【手続補正１】
【補正対象書類名】明細書
【補正対象項目名】特許請求の範囲
【補正方法】変更
【補正の内容】
【特許請求の範囲】
【請求項１】
(a)  キャビティ（２８）を含む固体部品（１４）と前記キャビティにより分離された第１のセグメントと第２のセグメント（２０，２６）を含む光路、
(b)  前記第１のセグメントと第２のセグメントの間の光学的結合を高める液体組成物であって、該液体組成物は前記固体部品の屈折率に実質的に等しい屈折率を有し、
(i)  本質的に炭素と水素、及び任意に酸素からなる飽和環状化合物と、
(ii)  置換ベンゼンであって、その環に直接結合された１つ又はより多くの電子供与基と、前記環又は前記電子供与基に結合された１つ又はより多くのフルオロ基とで置換されたベンゼンと、
(iii)  １つ又はより多くのベンゼン又は置換ベンゼン、及び任意に少なくとも１つの約130℃未満の沸点を有するアルカン又は置換アルカンの組合せと、
からなる群から選択される前記液体組成物、及び
(c)  前記第１のセグメントと第２のセグメントの間の前記キャビティ内への前記液体組成物の配置を選択的に行なう制御手段
を含む、光システム。
【請求項２】
(a)  基板中に形成され、互いに交差する光導波路（２０，２６，２２，２４）、
(b)  前記光導波路の光軸に対し所定角度をなす壁面を有し、且つ前記光導波路の交差部分に配置されるキャビティ（２８）、及び
(c)  前記キャビティ内へ選択的に導入するために配置された屈折率整合液体であって、
(i)  本質的に炭素と水素、及び任意に酸素からなる飽和環状化合物と、
(ii)  置換ベンゼンであって、その環に直接結合された１つ又はより多くの電子供与基と、前記環又は前記電子供与基に結合された１つ又はより多くのフルオロ基で置換されたベンゼンと、
(iii)  １つ又はより多くのベンゼン又は置換ベンゼン、及び任意に少なくとも１つの約130℃未満の沸点を有するアルカン又は置換アルカンの組合せと、
からなる群から選択される屈折率整合液体、
を含む、光スイッチである、請求項１に記載の光システム。
【請求項３】
前記液体組成物が、１つ又は２つの環を含む飽和環状化合物である、請求項１又は２に記載の光システム。
【請求項４】
前記液体組成物が、環状アルカン、アルコール又はケトンである飽和環状化合物である、請求項１又は２に記載の光システム。
【請求項５】
前記液体組成物が、586.26nmにおいて約1.44から約1.475の屈折率及び約30℃未満の融点を有する飽和環状化合物である、請求項１又は２に記載の光システム。
【請求項６】
前記液体組成物が、非置換シクロアルカンであるか、又は、アルキル、シクロアルキル、ヒドロキシ、ケト、ヒドロキシ若しくはケトで置換されたアルキル若しくはシクロアルキル、縮合シクロアルキル、ヒドロキシ若しくはケトで置換された縮合シクロアルキル、スピロアルキル、ヒドロキシ若しくはケトで置換されたスピロアルキル、により置換された置換シクロアルキルである、請求項１又は２に記載の光システム。
【請求項７】
前記液体組成物が、表１の化合物群から選択される、請求項１又は２に記載の光システム。
【請求項８】
前記液体組成物が、ベンゼン環に直接結合された１つ又はより多くの電子供与基と、前記環又は前記電子供与基に結合された１つ又はより多くのフルオロ基とで置換された置換ベンゼンである、請求項１又は２に記載の光システム。
【請求項９】
前記液体組成物が、表２の化合物群から選択される、請求項１又は２に記載の光システム。
【請求項１０】
前記組成物中の前記ベンゼン又は前記置換ベンゼンが、約30重量％から約90重量％である、請求項１又は２に記載の光システム。
【請求項１１】
前記組合せにおける前記ベンゼンが、１つ若しくはより多くのアルキル基、フルオロ基、フルオロアルキル基又はアルコキシ基で置換され、且つ前記組合わせにおける前記アルカンが、任意にヒドロキシ基、オキソ基、ケト基又はアルコキシ基で置換された直鎖、分枝鎖、環又はそれらの組合せである、請求項１又は２に記載の光システム。
【請求項１２】
前記置換ベンゼンが、トルエン、キシレン、エチルベンゼン、ジエチルベンゼン、プロピルベンゼン、ジプロピルベンゼン及びそれらのフッ化誘導体からなる群から選択され、前記それらのフッ化誘導体が、フルオロベンゼン、ジフルオロベンゼン、トリフルオロベンゼン、テトラフルオロベンゼン、ペンタフルオロベンゼン、ヘキサフルオロベンゼン、フルオロトルエン、ジフルオロトルエン、トリフルオロメチルトルエン、テトラフルオロトルエン、ペンタフルオロトルエンからなる群から選択され、前記組合せにおける前記アルカン又は前記置換アルカンが、シクロヘキサン、シクロペンタン、ヘキサン、ペンタン、ブタン、プロパン、ネオペンタン、メチルブタン、メチルプロパン、メタノール、エタノール、２−プロパノール、１−プロパノール、２−ブタノール、２−メチル−２−プロパノール、２−メチル−１−プロパノール、アセトン、ブタノン、シクロヘキサノン、シクロペンタノンからなる群から選択される、請求項１又は２に記載の光システム。
【請求項１３】
前記固体部品がシリカからなる、請求項１又は２に記載の光システム。
【請求項１４】
所定温度において所定の屈折率を有する液体組成物を調製する方法であって、
前記所定温度において前記所定の屈折率より高い屈折率と約100℃未満の沸点を有する第１の試薬と、前記第１の試薬の屈折率よりも低い屈折率と約130℃未満の沸点を有する第２の試薬とを組合せることを含み、前記第１の試薬と前記第２の試薬は、所定の屈折率を有する前記液体組成物を得るのに有効な量で組合される、液体組成物を調製する方法。
【請求項１５】
前記液体組成物が、所定の屈折率を有する前記液体組成物を得るのに十分な量で、ある屈折率と沸点を有する第３の試薬を含む、請求項１４に記載の方法。
【請求項１６】
前記所定の屈折率が、光システムの固体部品の屈折率である、請求項１４に記載の方法。
【請求項１７】
デバイスの固体部品に、液体組成物を接触させることを含み、前記液体組成物が、前記固体部品と実質的に等しい屈折率を有し、前記液体組成物が、
(i)  本質的に炭素と水素、及び任意に酸素からなる飽和環状化合物と、
(ii)  置換ベンゼンであって、その環に直接結合された１つ又はより多くの電子供与基と、前記環又は前記電子供与基に結合された１つ又はより多くのフルオロ基とで置換されたベンゼンと、
(iii)  １つ又はより多くのベンゼン又は置換ベンゼン、及び任意に少なくとも１つの約130℃未満の沸点を有するアルカン又は置換アルカンの組合せと、
からなる群から選択される、デバイスの固体部品の屈折率を整合させる方法。
【請求項１８】
(a)  光信号を生成することと、
(b)  信号路沿いに前記光信号を伝送することと、
(c)  前記信号路を選択的に交差する屈折率整合液体により前記信号路に沿って前記光信号の方向を制御することであって、前記屈折率整合液体が、
(i)  本質的に炭素と水素、及び任意に酸素からなる飽和環状化合物と、
(ii)  置換ベンゼンであって、その環に直接結合された１つ又はより多くの電子供与基と、前記環又は前記電子供与基に結合された１つ又はより多くのフルオロ基とで置換されたベンゼンと、
(iii)  １つ又はより多くのベンゼン又は置換ベンゼン、及び任意に少なくとも１つの約130℃未満の沸点を有するアルカン又は置換アルカンの組合せと、
からなる群から選択される、前記光信号の方向を制御することと、
を含む、光信号を伝送する方法。
【請求項１９】
前記光デバイスが、シリカからなる、請求項１８に記載の方法。